(57)【要約】  本発明の清掃装置は、清掃面及び前記清掃面の反対にある反対側表面を備えた清掃部と、支持柄（４）と、反対側表面上の支持柄（４）を回動可能に支持する回動機構（５）とを備える。清掃部の清掃面は、第１の清掃材料表面（３ａ）及び第２の清掃材料表面（３ｂ）を含み、第１の清掃材料表面（３ａ）及び第２の清掃材料表面（３ｂ）は被清掃面とそれぞれ接触するようになる。第１の清掃材料表面（３ａ）及び第２の清掃材料表面（３ｂ）のいずれか一方が、被清掃面と接触するようになると、他方の清掃材料表面は被清掃面に対して９０度〜１８０度までの角度（α）を有する。清掃装置は、ユーザーが異なる清掃能力を容易に切り替えられるように簡単な構造及び異なる清掃能力を有する。
2009532114.tif 000002
【特許請求の範囲】
【請求項１】
清掃面及び前記清掃面の反対にある反対側表面を備えた清掃部と、
支持柄（４）と、
前記反対側表面上に前記支持柄（４）を回動可能に支持する回動機構（５）と、を備え、
前記清掃部の前記清掃面が、第１の清掃材料表面（３ａ）及び第２の清掃材料表面（３ｂ）を含み、前記第１の清掃材料表面（３ａ）及び前記第２の清掃材料表面（３ｂ）が被清掃面にそれぞれ接触するようになる清掃装置において、
前記第１の清掃材料表面（３ａ）及び前記第２の清掃材料表面（３ｂ）のうちのいずれか一方が前記被清掃面に接触するようになる時、他方の清掃材料表面が前記被清掃面に対して、９０度から１８０度までの角度を有することを特徴とする、清掃装置。
【請求項２】
前記清掃部には、支持板（１）が備えられ、前記第１の清掃材料表面（３ａ）及び前記第２の清掃材料表面（３ｂ）が、前記支持板（１）の底部表面もしくは側部表面上にそれぞれ配設される、請求項１に記載の清掃装置。
【請求項３】
前記清掃部には、支持板（１）及び前記支持板（１）の片側に回動可能に装着された少なくとも１つの側板（２）が備えられ、前記側板（２）にはその遠位側の縁に位置決め要素（８）が備えられ、前記支持板（１）には前記位置決め要素（８）と噛み合うために位置協働手段（８’）を備えていて、前記側板（２）及び前記支持板（１）が前記位置決め要素（８）及び前記位置協働手段（８’）の固定後２７０度より大きな角度（β）を成し、前記第１の清掃材料表面（３ａ）及び前記第２の清掃材料表面（３ｂ）が前記支持板（１）の底部表面もしくは前記側板（２）の側部表面にそれぞれ配設される、請求項１に記載の清掃装置。
【請求項４】
前記位置決め要素（８）及び前記位置協働手段（８’）の両方は、歯群の一方の列が他方の列と重なり合った位置を有することから構成される、請求項３に記載の清掃装置。
【請求項５】
前記第１の清掃材料表面（３ａ）及び前記第２の清掃材料表面（３ｂ）が、一体型構造体（９）上に配設され、そして前記一体型構造体（９）、前記位置決め要素（８）及び前記位置協働手段（８’）により前記支持板（１）及び前記側板（２）の所定位置に固定される、請求項３に記載の清掃装置。
【請求項６】
前記側板（２）が、所定のラジアンを有する、請求項３に記載の清掃装置。
【請求項７】
前記第１の清掃材料表面（３ａ）の表面積が、前記第２の清掃材料表面（３ｂ）の表面積より大きい、請求項２又は３に記載の清掃装置。
【請求項８】
前記第１の清掃材料表面（３ａ）の形状が、前記第２の清掃材料表面（３ｂ）の形状と異なっている、請求項２又は３に記載の清掃装置。
【請求項９】
前記第１の清掃材料表面（３ａ）及び前記第２の清掃材料表面（３ｂ）が、置換可能である、請求項２又は３に記載の清掃装置。
【請求項１０】
前記第１の清掃材料表面（３ａ）及び前記第２の清掃材料表面（３ｂ）が単独に置換可能である、請求項２又は３に記載の清掃装置。
【請求項１１】
前記第１の清掃材料表面（３ａ）の清掃材料が、前記第２の清掃材料表面（３ｂ）の清掃材料と同一である、請求項２又は３に記載の清掃装置。
【請求項１２】
前記第１の清掃材料表面（３ａ）の清掃材料が、前記第２の清掃材料表面（３ｂ）の清掃材料と異なっている、請求項２又は３に記載の清掃装置。
【請求項１３】
前記第１の清掃材料表面（３ａ）の清掃材料が、従来の清掃材料であり、そして前記第２の清掃材料表面（３ｂ）の清掃材料が、研磨材料である、請求項１２に記載の清掃装置。
【請求項１４】
前記第１の清掃材料表面（３ａ）の清掃材料が、従来の清掃材料であり、そして前記第２の清掃材料表面（３ｂ）の清掃材料が吸収性材料である、請求項１２に記載の清掃装置。
【発明の詳細な説明】
【技術分野】
【０００１】
本発明は、清掃装置に監視、より具体的には、複数の清掃面を備えた清掃装置に関する。
【背景技術】
【０００２】
家庭用清掃器具の本分野において、フロアモップはその美的外観の特徴のお陰で都会に住むユーザーによってますます広く受け入れられている。現在では、市場に出ているフロアモップは、通常では支持板と、支持板の中心に回動可能に固定された支持柄と、支持板の両面に締め付けられたモップ布と、から構成されている。このモップ布は、モップ支持板の底部にナイロン・フック・ループ式ファスナー、スナップ・ファスナーなどのような様々な装着機構によって取り付けられている、及びこの支持柄は支持板の最上部へ連結されている。フロアモップは、大きな清掃面積、高い清掃効率及び洗濯のためにモップ布を取り外す便利さの利点を有するので、従来のモップに代わるふさわしい代用となっている。
【０００３】
しかしながら、上述のフロアモップの適用において多くの問題があり、なかでも最も顕著な問題は、フロアモップには１つだけの清掃面しかないという事実から生じている、そしてモップ布に使用される材料が設計において様々な環境に適応しなければならないので、材料の選定が限られている。例えば、フロア上の頑固な汚れ及びしみは、モップ布が従来の清掃材料を含有する場合にはほとんど除去できない。しかしながら、モップ布が汚れをこすりつけて除去することができる研磨材料を含有する場合には汚れのないフロアの残りの部分がひっかかれて傷つけられるおそれがある。したがって、従来のフロアモップは通常フロア及び同時に頑固な汚れのあるフロアの清掃には使用できない。
【０００４】
そのうえ、従来のフロアモップは以下の欠点をさらに持っている。
【０００５】
（１）支持板は、面積ががなり大きいので、フロアにかかる圧力の強さは比較的に小さい。使用中にユーザーによって加えられる力は、フロアへ効果的に伝達できない；
（２）支持板は、寸法がかなり大きいので、狭く且つはっきりしない空間へ入り込んで前記空間を清掃することは難しい；
（３）モップ布の装着機構は、十分に便利がよくて確実であるわけではない。
【０００６】
前述の課題を解決するように試みがなされた多数の本発明があった、例えば、その公開日が２００４年１０月１４日である、欧州特許ＥＰ１８１０６６２は、両面が清掃に適用可能なフロアモップを開示した。前記モップの支持板は、磁力により固定され、そしてモップ布を固定し且つ保持するための永久磁石、及び支持板のいずれかの表面上に固定されるモップ布のいずれか一方に適用するためのヒンジ継手から成る回転式取付け機構をさらに備える。清掃作業中に、ユーザーはその両面上に異なる清掃材料で作られ且つ支持板上に固定されるモップ布を支持板を逆に切り替えることで活用することができる。
【０００７】
これに加えて、その公開日が１９７８年９月１９日である、米国特許  ＵＳ４１１４２２３Ａ、その公開日が２００３年５月１４日である、中国特許ＣＮ２５４９８８８Ｙ、及びその公開日が２００５年２月１６日である、ＣＮ２６７８５５２Ｙがまた、回転式支持板構造を備えたフロアモップを開示した。上記の解決策の共通した特徴は、以下のとおりである：基台プレートの両面が床に接触するようにでき且つ清掃することができる。２つの清掃面の切り替えは、基台プレートをリバーシブルにすることで実現される。しかしながら、このタイプのデザインは複雑な機構、２つの清掃面の楽でない切り替え、モップ布と基台との間のしっかり固定されていない継手などの欠点を有する。そのうえ、１つの基台プレートの両面上に２つの清掃面が配設されているので、それらの表面積が同じであり、結果として清掃圧力強さは比較的に小さくなる。さらに、上記の解決策は、基台プレートの寸法が大きいために狭い空間を清掃しにくいという課題を解決できない。
【０００８】
そのうえ、その公開日が２００３年７月１５日である、米国特許  ＵＳ６５９１４４２Ｂ２が、ひっくり返すことができるフロアモップ基台を開示した。モップ基台の下層は、吸水性材料で作られている、及び上層はプラスチック類もしくは類似の材料で作られている。このモップ基台は、９０度まで上に曲げることができる構成を有する。このような構成は、清掃作業のためにモップ基台を様々な形状を有するフロア表面に適応させる。モップ布が、従来の仕方でモップ基台上に固定されている。モップ基台の上部の両側に布の固定用に４つの穴がある。モップ布は、基台上に包まれ、その後で布の縁部が固定用穴の中に挿入される。この解決策により２つの清掃面が設けられることになった。ノンリバーシブルな主清掃面は、従来のフロア清掃作業を成し遂げることができる一方、リバーシブルな副清掃面は主清掃面に対して９０度の角度を成すことができる。縁部を清掃する際には、ユーザーは床面及び壁角部を同時に清掃できる。しかしながら、上述の解決策において、ノンリバーシブルな主清掃面だけが床面を効果的に清掃するために採用され、リバーシブルな副清掃面は、床面及び壁角部のような、縁部を清掃することが必要とされない限り効果を発揮することができない。したがって、結局の効果は清掃作業中に清掃が困難な領域をなくすことだけであり、異なる清掃能力を統合することではない。
【０００９】
公開日が２００２年６月６日である、国際特許ＷＯ０２４３５５５Ａ１が、接着剤表面及びきれいな布表面を有する清掃装置を開示した。この主清掃面には、従来の清掃材料が組み込まれていて、及び接着剤表面は粉塵及び砂などのような若干大きな径の粒子を拭い取ることができる。２つの清掃面の切り替えは、清掃装置上に配設されるストッパにより達成される。支持柄と清掃装置間の角度が所定の角度より大きい時には、接着剤表面がてこの原理により床面と接触するようになる。しかしながら、接着剤表面が床面と接触するようになると、ユーザーによって加えられた力が効果的に被清掃位置に伝達されない、つまり、清掃作業は副清掃面の接着剤機能に依存する。したがって、上記の解決策では、接着剤表面は主清掃面の機能の補足であるに過ぎず、副清掃面の材料及び機能は制限される。
【００１０】
要約すると、上記の参照特許に開示されたフロアモップは、通常のフロア清掃及び頑固な汚れの落としに同時に使用できるとともに、縁部構造体を逆に切り替えることにより異なる形状を有するはっきりしないフロア空間の清掃にも使用できるが、それは依然として前記の欠点を克服することができない。
【発明の開示】
【発明が解決しようとする課題】
【００１１】
現在緊急に必要とされていることは、ユーザーが異なる清掃能力を容易に切り替えることができるように簡単な構造及び異なる清掃能力を有する清掃装置である。
【課題を解決するための手段】
【００１２】
本発明の目的は、ユーザーが異なる清掃能力を容易に切り替えることができるように簡単な構造及び異なる清掃能力を有する清掃装置を提供することにある。
【００１３】
本発明の清掃装置は、清掃面及び前記清掃面の反対にある反対側表面を備えた清掃部と、支持柄と、反対側表面上に支持柄を回動可能に支持する回動機構と、を備え、清掃部の清掃面は第１の清掃材料表面及び第２の清掃材料表面を含み、第１の清掃材料表面及び第２の清掃材料表面は、被清掃面とそれぞれ接触するようになる。第１の清掃材料表面及び第２の清掃材料表面のいずれか一方が、被清掃面と接触するようになる時に、他方の清掃材料表面は被清掃面に対して９０度から１８０度までの角度を有する。
【００１４】
好ましくは、清掃部には、支持板が設けられてよい、第１の清掃材料表面及び第２の清掃材料表面が、支持板の底部表面もしくは側部表面の上にそれぞれ配設されてよい。
【００１５】
好ましくは、清掃部には支持板及び支持板の１つの側部に回動可能に装着された少なくとも１つの側板が設けられてよい、この側板にはその遠位側の縁に位置決め要素が設けられてよい、支持板には位置決め要素と噛み合うための位置協働手段が設けられてよい、側板及び支持板は位置決め要素及び位置協働手段の固定後９０度未満の角度を成してよい、第１の清掃材料表面及び第２の清掃材料表面は、支持板の底部表面又は側板の側部表面にそれぞれ配設されてよい。
【００１６】
好ましくは、位置決め要素及び位置協働手段の両方は、歯群の一方列が他方の列と重なり合った位置を有するように構成されてよい。
【００１７】
別の実施形態では、第１の清掃材料表面及び第２の清掃材料表面は、一体型構造体上に，配設されてよい、そして一体型構造体、位置決め要素及び位置協働手段により支持板及び側板の予め定められた位置に固定されてよい。
【００１８】
好ましくは、側板は所定のラジアンを有してよい。
【００１９】
所望により、第１の清掃材料表面の表面積は、第２の清掃材料表面の表面積より大きくしてよく、及び第１の清掃材料表面の形状は、第２の清掃材料表面の形状と異なっていてもよい。
【００２０】
さらに好ましい実施形態では、第１の清掃材料表面及び第２の清掃材料表面は、置換可能であってもよい、第１の清掃材料表面及び第２の清掃材料表面が単独に置換可能であってもよい。
【００２１】
さらに好ましい実施形態では、第１の清掃材料表面の清掃材料は、第２の清掃材料表面の清掃材料と同一であっても異なっていてもよい。第１及び第２の清掃材料表面の清掃材料が異なる場合には、第１の清掃材料表面の清掃材料は、綿糸、ポリエステル繊維、超微細繊維、不織布などのような、従来の清掃材料であってよい、第２の清掃材料表面の清掃材料は、研磨剤粒子などを有するナイロン不織布、又はナイロン織物、もしくは超微細繊維、ＰＶＣ、木材パルプスポンジなどのような、吸収性材料のような、研磨材料であってよい。
【００２２】
本発明の複数の清掃面を有する清掃装置の利点は以下のとおりである。
【００２３】
１．清掃装置の使用中に、異なる清掃材料を有する支持板及び側板は、通常のフロア又は頑固な汚れのある特別なフロアを清掃するためにそれぞれ適用できる；
２．清掃装置の使用中に、異なる寸法を有する支持板及び側板は、通常の空間又は狭い空間を清掃するためにそれぞれ適用できる；
３．モップ布の締結方法は、便利であり且つ確実である。
【発明を実施するための最良の形態】
【００２４】
（好ましい実施形態の説明）
本発明の好ましい実施形態について添付図面を参照して以下のとおり説明する。図面において同様の参照番号は同様の要素を示す。
【００２５】
（第１の実施形態）
図１は、本発明に係る複数の清掃面を有する清掃装置の第１の実施形態の透視図を示す。
【００２６】
図１を参照すると、清掃装置は清掃部と、支持柄４と、回動機構５とを有する。この清掃部は、その底部表面上に清掃面、及びその最上部表面上に清掃面の反対にある反対側表面を有する。支持柄４は、清掃部に対して自由に回転するように反対側表面上に取り付けられる回動機構５によって反対側表面上に回動可能に支持される。
【００２７】
清掃部の清掃面は、第１の清掃材料表面３ａ及び第２の清掃材料表面３ｂを含む。図１から分かるように、清掃部は支持板１を有する。第１の清掃材料表面３ａは、支持板１の底部表面上に配設され、及び第２の清掃材料表面３ｂは、支持板１の側部表面上に配設される。第１の清掃材料表面３ａが、その寸法が支持板１の底部表面の寸法と実質的に同一である清掃プレート上に配設され、次いで支持板１の底部表面に取り付けられることが図１から分かる。第２の清掃材料表面３ｂは、支持板１の側部表面上に直接に配設される。しかしながら、第１の清掃材料表面３ａが支持板１の底部表面上に直接に配設でき、そして第２の清掃材料表面３ｂがもう１つの清掃プレート上に配設でき、次いで支持板１の側部表面に取り付けられることは当該技術分野における当業者には周知されている。上記の変形は、それに対して保護が本発明において求められている範囲に該当するであろう。
【００２８】
清掃作業が行われる時、第１の清掃材料表面３ａ及び第２の清掃材料表面３ｂは、被清掃面とそれぞれ接触するようになる。図２Ａ及び２Ｂから分かるように、第１の清掃材料表面３ａ及び第２の清掃材料表面３ｂは、２７０度より大きい角度βを成すように設計されている。すなわち、第１の清掃材料表面３ａが被清掃面と接触するようになる時、第２の清掃材料表面３ｂが被清掃面に対して９０度より大きく且つ１８０度未満の角度を有し（図２Ａを参照）、第２の清掃材料表面３ｂが被清掃面と接触するようになる時、第１の清掃材料表面３ａは被清掃面に対してして９０度より大きく１８０度未満の角度を有する（図２Ｂを参照）。それ故に、操作者は第１の清掃材料表面３ａ及び第２の清掃材料表面３ｂが被清掃面とそれぞれ接触するように清掃作業中に支持柄４を回転させることができる。
【００２９】
（第２の実施形態）
図３及び４を参照すると、それらは本発明に係る複数の清掃面を有する清掃装置の第２の実施形態の透視図であり、そこでは図３中の清掃装置の側板２は、支持板１の上に固定されていないのに対して、図４中の清掃装置の側板２は、支持板１の上に既に固定されている。
【００３０】
第２の実施形態の構造は、第１の実施形態の構造と実質的に同一である。それらの区別は、主として第１の実施形態の清掃部が支持板１から構成されているのに対して、第２の実施形態の清掃部が支持板及び支持板１に回動可能に装着された少なくとも１つの側板２から構成されている点にある。
【００３１】
図３を参照すると、清掃装置は清掃部と、支持柄４と、回動機構５とを有する。この清掃部は、その底部表面上に清掃面を有する、及びその最上部表面の上に清掃面の反対側にある反対側表面を有する。この支持柄４は、清掃部に対して自由に回転するように反対側表面上に取り付けられた回動機構５により反対側表面上に回動可能に支持される。
【００３２】
本実施形態では、清掃部は支持板１及び支持板１の片側に回動可能に装着された側板２から構成されている。しかしながら、当該技術分野における当業者は、清掃部が支持板１及び支持板１の片側に回動可能に装着された少なくとも１つの側板２から構成されることを理解されよう。例えば、支持板１の両側が１つの側板２を装備できる、もしくは支持板１の各側がそれぞれ１つの側板２を装備できる。上記の変形例は、本発明において保護が求められている範囲内に入るであろう。
【００３３】
側板２の表面積は、支持板１の表面積より小さいので、側板２から被清掃面へ加えられる圧力の強さは、支持板１から加えられる圧力の強さよりも大きい。これに加えて、側板２は全体として外側へ僅かに突出する円弧形状を有している。円弧のラジアンは、側板２を被清掃面と正確に接触させるように設計されている。
【００３４】
清掃部の清掃面は、第１の清掃材料表面３ａ及び第２の清掃材料表面３ｂを含む。本実施形態では、第１の清掃材料表面３ａ及び第２の清掃材料表面３ｂは、一体構造体、すなわちモップ布９の上に配設される。モップ布９の一端は、支持板１の上に固定される、及びモップ布９の他端は側板２の上に固定されることによって、支持板１及び側板２がそこに包まれるようになっている。
【００３５】
図５を参照すると、モップ布９の平面図である。このモップ布９は、矩形の形状をしている。モップ布９を支持板１及び側板２に簡単に取り付けるために、複数のポケット３ａがモップ布９に縫合されてよい。加えて、モップ布９の角部を、支持板１及び側板２の形状に合致するように合わすことによって、モップ布９が支持板１及び側板２にしっかりと固着されるようになる。
【００３６】
図５及び６で分かるように、第１の清掃材料表面３ａは、モップ布９上で支持板１に対応する位置に配設され且つ支持板１の底部表面を覆う一方、第２の清掃材料表面３ｂは、モップ布９上で側板２に対応する位置に配設され且つ側板２の底部表面を覆う。支持板２の表面積が、側板１の表面積より大きいので、第１の清掃材料表面３ａの表面積はまた第２の清掃材料表面３ｂの表面積よりも大きい。第１の清掃材料表面３ａ及び第２の清掃材料表面３ｂの清掃材料は、同じにすることも異なるものにすることもできる。第１の及び第２の清掃材料表面３ａ及び３ｂの清掃材料が異なる場合には、第１の清掃材料表面３ａの清掃材料は従来の清掃材料であり、及び第２の清掃材料表面３ｂの清掃材料は研磨材料又は吸収性材料である。
【００３７】
従来の清掃材料としては、綿糸、ポリエステル繊維、超微細繊維、不織布などが挙げられる。研磨材料としては、研磨剤粒子などを有するナイロン不織布又はナイロン織物が挙げられる。吸収性材料としては、超微細繊維、ＰＶＣ、木材パルプスポンジなどが挙げられる。
【００３８】
図３で分かるように、支持板１は側板２に隣接した側部上に傾斜面６を有する。傾斜面６の下部には回動軸が装備されてる、側板２は回動軸を介して傾斜面の下部を中心自由に回転できる。側板２が回転されて傾斜面６と接触するようになると、その遠位側の縁、つまり支持板１に対して自由に回転できる可動縁部が、傾斜面６に当接することによって、側板２及び支持板１が２７０度より大きい角度βを成すようになる。２つの突出部７は、側板２の遠位側の縁上に一体に形成され、及び複数の位置決め歯群８（それは本実施形態では５つの位置決め歯群を有する）が各突出部７の上に配設される。図３で分かるように、１列の位置協働歯群８’が、支持板１の傾斜面６の最上部に配設される、この位置協働歯群８’はその中心軸に沿って支持板１の両側に配設され、及び４つの歯群が各側に形成されるが、それらの位置は側板２上の位置決め歯群８の列と重なり合う。したがって、側板２の遠位側の縁が傾斜面６の最上部に当接した後に、側板２の位置決め歯群８及び支持板１の位置協働歯群８’は、僅かな力が加えられれば、共にしっかりと固定することができる。勿論、当該技術分野における当業者は、側部表面２及び支持表面１が２７０度より大きい角度βを成すように、締付環、バックル又はプラグなどのような他の締結手段がまた使用できることを理解しなければならない。前記の締結手段はまた、本発明において保護が求められている範囲に該当するであろう。
【００３９】
清掃装置が前記構造を備えているので、ユーザーは通常のフロアを清掃する際により大きな接触面積及びより少ない清掃圧力を有する支持板１を活用できる。そしてユーザーは、頑固な汚れがある特別なフロアを清掃する際により少ない接触面積及びより大きな清掃圧力を有する側板２を活用できるので、ユーザーによって加えられる力が効果的にフロアへ伝達され、これによって頑固な汚れが除去されるようになっている。加えて、側板２が使用される時に、清掃幅がより小さくなるので、本発明の清掃装置がその清掃作業のために狭い空間に入ることができる。モップ布９が支持板１の縁部を包むので、清掃サイト内の壁角部又は家具の脚部を清掃する際に被清掃物体が清掃装置の衝撃により傷つけられたりひっかかれたりしない。
【００４０】
本発明の複数の清掃面を備えた清掃装置の使用方法は、図６及び７を参照して以下に簡潔に説明する。
【００４１】
図６及び７に示すように、ユーザーはまずモップ布９を支持板１及び側板２で覆う、そして次いで側板２を反時計方向に回動させる。側板２が、その遠位側の縁が傾斜面６の最上部にちょうど当接する位置まで回転されると、位置決め歯群８が支持板１の協働歯群８’内へスナップ嵌めされるように力が側板２に加えられる。こうして、モップ布９が、歯群８、８’の２つの列の間にしっかりと保持される。清掃装置の使用中に、ユーザーは通常のフロアを清掃する際に支持板１を活用することができる、そして頑固な汚れのあるフロアもしくは狭いフロア空間を清掃しなければならない場合には、ユーザーは支持柄４を回転して、支持板１を上向きに振り回して及び側板２を被清掃面と接触させることができることによって、被清掃面を清掃するために支持板１は側板２と取り替えられるようになっている。
【００４２】
本発明の複数の清掃面を備えた清掃装置の構造及び効果が、好ましい実施形態を参照して以上に説明されてきた一方、当該技術分野における当業者は、以上に引用した実施例は例示のためにのみ用いられるもので、本発明の保護の範囲を限定するものではないことを理解するであろう。それ故に、添付した特許請求の本来の趣旨及び範囲内で本発明において多くの改変及び変形が存在し得る。例えば、第１の清掃材料表面及び第２の清掃材料表面は一体にもしくは単独に置換可能とすることができ、第１の清掃材料表面の形状は第２の清掃材料表面の形状と異なることができ、及び位置決め歯群及び協働歯群の個数は変動し得る、など。すべてのこれらの改変は本発明に添付した特許請求の範囲に該当するであろう。
【００４３】
本発明の複数の清掃面を備えたフロアモップの構造及び利点は、添付図面及び以下の具体的な実施形態の助けを借りてさらに詳細に下記に例示される。
【図面の簡単な説明】
【００４４】
【図１】本発明に係る複数の清掃面を備えた清掃装置の第１の実施形態の透視図。
【図２Ａ】清掃装置の動作状態のスケッチ図。
【図２Ｂ】清掃装置の動作状態のスケッチ図。
【図３】本発明に係る複数の清掃面を有する清掃装置の第２の実施形態の透視図である、ここで側板は支持板の傾斜面にスナップ嵌めされていない。
【図４】側板が図３における清掃装置の支持板にスナップ嵌めされている状態を示す。
【図５】図３における清掃装置に包まれたモップ布の平面図。
【図６】図３における清掃装置の断面図。
【図７】図４における清掃装置の断面図。
【図１】
2009532114.tif 000003
【図２Ａ】
2009532114.tif 000004
【図２Ｂ】
2009532114.tif 000005
【図３】
2009532114.tif 000006
【図４】
2009532114.tif 000007
【図５】
2009532114.tif 000008
【図６】
2009532114.tif 000009
【図７】
2009532114.tif 000010
【国際調査報告】
2009532114.tif 000011
2009532114.tif 000012